(57)【要約】【課題】情報再生装置のフロントパネルにおいて、シャーシからの取り外しを容易にする。【解決手段】フロントパネル３は、横板２４を有するシャーシに取り付けられる。この横板２４は、上方に突出した係合爪部２９ｃを有する。フロントパネル３は、該装置の内方に延び、係合爪部２９ｃが係合されるフック部３４ｃを有する。このフック部３４ｃは、係合爪部２９ｃが下方から挿入される係合孔３４ｃａを備える板状の突出片３４ｃｂと、突出片３４ｃｂの両側端の上面側に形成されたリブ３４ｃｃと、リブ３４ｃｃのそれぞれの上端に設けられ側方に延びた、指先を引掛けるための指掛け部３４ｃｄとを備える。上記構成において、フック部３４ｃに横板２４の係合爪部２９ｃが係合されている状態のとき、ユーザが指掛け部３４ｃｄと横板２４との間に指先を差し込んで該指掛け部３４ｃｄを引き上げることにより、フロントパネル３をシャーシから容易に取り外せる。【選択図】図７
0003129253.tif 000002
【実用新案登録請求の範囲】
【請求項１】
底板と、前記底板の前端部の両側端に垂設された支持部材と、前記支持部材間に架設されて該支持部材により支持される横板とを有するシャーシと、
前記シャーシの前面に取り付けられるフロントパネルとを備え、
前記シャーシにおけるフロントパネルの取付枠は、少なくとも前記底板の前端部、前記支持部材及び前記横板で構成される情報再生装置において、
前記シャーシの横板は、上方に突出した係合爪部を有する板金部材で構成され、
前記フロントパネルは、水平方向で且つ該装置の内方に延び、前記係合爪部が係合されるフック部を有し、
前記フック部は、前記係合爪部が下方から挿入される係合孔を備える板状の突出片と、前記突出片の両側端の上面側に形成されたリブと、前記リブのそれぞれの上端に設けられ水平方向で且つ側方に延び、該リブの幅と略等しい厚みを有する、指先を引掛けるための指掛け部とを備え、
前記フロントパネルのフック部に前記シャーシの横板の係合爪部が係合されている状態のとき、ユーザが該フック部の指掛け部と該横板との間に指先を差し込んで該指掛け部を引き上げることにより、該フロントパネルを該シャーシから容易に取り外せるように構成されていることを特徴とする情報再生装置。
【請求項２】
シャーシの取付枠に取り付けられる情報再生装置のフロントパネルにおいて、
該装置の内方に延び、前記取付枠に設けられた上方に突出した係合爪部が係合されるフック部を備え、
前記フック部は、前記係合爪部が下方から挿入される係合孔を備える突出片と、前記突出片の両側端の上面側に形成されたリブと、前記リブのそれぞれの上端に設けられ側方に延びた、指先を引掛けるための指掛け部とを有し、
前記フック部に前記シャーシの取付枠の係合爪部が係合されている状態のとき、ユーザが該フック部の指掛け部と該取付枠との間に指先を差し込んで該指掛け部を引き上げることにより、該シャーシから容易に取り外せるように構成されていることを特徴とする情報再生装置のフロントパネル。
【請求項３】
底板と、前記底板の前端部の両側端に垂設された支持部材と、前記支持部材間に架設されて該支持部材により支持される横板とを有する情報再生装置のシャーシの前面に取り付けられ、
前記シャーシにおける取付枠が、少なくとも前記底板の前端部、前記支持部材及び前記横板で構成される情報再生装置のフロントパネルにおいて、
水平方向で且つ該装置の内方に延び、前記横板に設けられた上方に突出した係合爪部が係合されるフック部を有し、
前記フック部は、前記係合爪部が下方から挿入される係合孔を備える板状の突出片と、前記突出片の両側端の上面側に形成されたリブと、前記リブのそれぞれの上端に設けられ水平方向で且つ側方に延びた、指先を引掛けるための指掛け部とを備え、
前記フロントパネルのフック部に前記シャーシの横板の係合爪部が係合されている状態のとき、ユーザが該フック部の指掛け部と該横板との間に指先を差し込んで該指掛け部を引き上げることにより、該フロントパネルを該シャーシから容易に取り外せるように構成されていることを特徴とする情報再生装置のフロントパネル。
【請求項４】
前記指掛け部は、前記リブの幅と略等しい厚みを有することを特徴とする請求項３に記載の情報再生装置のフロントパネル。
【考案の詳細な説明】
【技術分野】
【０００１】
本考案は、シャーシに取り付けられるフロントパネル及びそれを備えた情報再生装置に関する。
【背景技術】
【０００２】
従来から、ＤＶＤ等の記録媒体に記録された音声や映像等の情報を再生可能な情報再生装置のフロントパネルとして、図１０（ａ）（ｂ）に示される構成を有するものが知られている。このフロントパネル１００は、情報再生装置のシャーシ２００に取り付けられる。フロントパネル１００は、装置の内方に延びたフック部１０１を有する。シャーシ２００は、このフック部１０１が係合される係合爪部２０１を有する。この係合爪部２０１は上方に突出した形状を有する。また、シャーシ２００は、該シャーシ２００を覆うトップカバー（不図示）を支持するため、端が垂直に折曲されて成るトップカバー支持部２０２を有する。
【０００３】
上記のフック部１０１は、係合のため係合爪部２０１が下方から挿入される係合孔１０１ａａを備える板状の突出片１０１ａと、突出片１０１ａの両側端の上面側に形成されたリブ１０１ｂとで構成される。この突出片１０１ａの厚さは撓み可能な程度である。また、リブ１０１ｂは突出片１０１ａを補強するためのものである。突出片１０１ａ底面の先端は、テーパ状に形成されており、フック部１０１を係合爪部２０１に係合させ易く構成されている。
【０００４】
また、情報再生装置を含む電子機器のフロントパネルとして、上板及び下板を有し、上板に上側係合部、下板に下側係合部が形成された筺体の前面に取り付けられるフロントパネルであって、筺体の上側係合部と係合する上側被係合部が形成された上側舌片と、下側係合部と係合する下側被係合部が形成された下側舌片とが機器の内方に向けて突設されたものが知られている。このフロントパネルは、筺体に取り付けられたとき、上側舌片が上板よりも下側に位置した状態で上側係合部と上側被係合部が係合し、下側舌片が下板よりも下側に位置した状態で下側係合部と下側被係合部が係合するように構成されている（例えば、特許文献１参照）。このフロントパネルによれば、フロントパネルを筺体から取り外す際に、フロントパネルの下側を前方に向けて引きつつ、下側の舌片を下向きに引っ張って下側舌片を筺体の下側係合部から外すだけで、フロントパネルが傾き、上側舌片が下向きに傾動し、上側被係合部が筐体の上側係合部から外れる。従って、フロントパネルの取外し作業の効率化を図ることができる。
【０００５】
また、係合爪部と、該係合爪部と繋がる可撓性部分とを備え、可撓性部分が係合爪部の突出方向と反対方向に撓む電子機器用筐体に取り付けられるフロントパネルが知られている。このフロントパネルは、係合孔が形成されたフックを有し、この係合孔には係合爪部が係合される（例えば、特許文献２参照）。また、前板の下端に複数の挿通孔と、前板の上端に内方に延出する複数の延出部とを有し、延出部には上方に突出する突出部が形成され、底板における挿通孔に対応する部位には係止孔が設けられた本体ケースに取り付けられるフロントパネルが知られている。このフロントパネルは、下部フランジに、上記の挿通孔に挿通される下部舌片と、上部フランジに上記の突出部に嵌合される嵌合孔を有する複数の上部舌片とを備える。下部舌片は上記の係止孔に嵌合する係止部を有する。上部舌片の両側には突起部が設けられる（例えば、特許文献３参照）。
【特許文献１】特開２００５−１８３７７１号公報
【特許文献２】特開２００５−３２２７７７号公報
【特許文献３】特開平１０−１４５０４８号公報
【考案の開示】
【考案が解決しようとする課題】
【０００６】
ところが、従来の情報再生装置のフロントパネルでは、図１０（ａ）（ｂ）に示されるように、フック部１０１の係合孔１０１ａａが係合爪部２０１に係合されている状態において、突出片１０１ａの先端とトップカバー支持部２０２とが近接して配置され、且つ、これらの間に指を差し込む程の隙間がない場合、フック部１０１を係合爪部２０１から取り外し難かった。従って、フロントパネル１００をシャーシ２００から取り外し難かった。また、フック部１０１とシャーシ２００とは互いに係合するために近接して配置されるので、これらの間に指先を差し込むことは困難であり、フック部１０１を係合爪部２０１から取り外し辛く、フロントパネル１００をシャーシ２００から取り外し難かった。さらに、突出片１０１ａ底面の先端はテーパ状に形成されているが、突出片１０１ａの厚さは撓み可能な程度であるため、テーパ状の先端に指先を引っ掛け易くなることはなかった。従って、フック部１０１を係合爪部２０１から取り外し辛かった。また、特許文献１乃至特許文献３に記載の技術では、従来のフロントパネルが有する上記構造において、フック部１０１を係合爪部２０１から取り外し易くすることは困難であった。
【０００７】
本考案は、上記従来の問題を解決するためになされたものであり、シャーシからの取り外しが容易なフロントパネルとそれを備えた情報再生装置を提供することを目的とする。
【課題を解決するための手段】
【０００８】
上記目的を達成するために請求項１の考案は、底板と、前記底板の前端部の両側端に垂設された支持部材と、前記支持部材間に架設されて該支持部材により支持される横板とを有するシャーシと、前記シャーシの前面に取り付けられるフロントパネルとを備え、前記シャーシにおけるフロントパネルの取付枠は、少なくとも前記底板の前端部、前記支持部材及び前記横板で構成される情報再生装置において、前記シャーシの横板は、上方に突出した係合爪部を有する板金部材で構成され、前記フロントパネルは、水平方向で且つ該装置の内方に延び、前記係合爪部が係合されるフック部を有し、前記フック部は、前記係合爪部が下方から挿入される係合孔を備える板状の突出片と、前記突出片の両側端の上面側に形成されたリブと、前記リブのそれぞれの上端に設けられ水平方向で且つ側方に延び、該リブの幅と略等しい厚みを有する、指先を引掛けるための指掛け部とを備え、前記フロントパネルのフック部に前記シャーシの横板の係合爪部が係合されている状態のとき、ユーザが該フック部の指掛け部と該横板との間に指先を差し込んで該指掛け部を引き上げることにより、該フロントパネルを該シャーシから容易に取り外せるように構成されているものである。
【０００９】
請求項２の発明は、シャーシの取付枠に取り付けられる情報再生装置のフロントパネルにおいて、該装置の内方に延び、前記取付枠に設けられた上方に突出した係合爪部が係合されるフック部を備え、前記フック部は、前記係合爪部が下方から挿入される係合孔を備える突出片と、前記突出片の両側端の上面側に形成されたリブと、前記リブのそれぞれの上端に設けられ側方に延びた、指先を引掛けるための指掛け部とを有し、前記フック部に前記シャーシの取付枠の係合爪部が係合されている状態のとき、ユーザが該フック部の指掛け部と該取付枠との間に指先を差し込んで該指掛け部を引き上げることにより、該シャーシから容易に取り外せるように構成されているものである。
【００１０】
請求項３の発明は、底板と、前記底板の前端部の両側端に垂設された支持部材と、前記支持部材間に架設されて該支持部材により支持される横板とを有する情報再生装置のシャーシの前面に取り付けられ、前記シャーシにおける取付枠が、少なくとも前記底板の前端部、前記支持部材及び前記横板で構成される情報再生装置のフロントパネルにおいて、水平方向で且つ該装置の内方に延び、前記横板に設けられた上方に突出した係合爪部が係合されるフック部を有し、前記フック部は、前記係合爪部が下方から挿入される係合孔を備える板状の突出片と、前記突出片の両側端の上面側に形成されたリブと、前記リブのそれぞれの上端に設けられ水平方向で且つ側方に延びた、指先を引掛けるための指掛け部とを備え、前記フロントパネルのフック部に前記シャーシの横板の係合爪部が係合されている状態のとき、ユーザが該フック部の指掛け部と該横板との間に指先を差し込んで該指掛け部を引き上げることにより、該フロントパネルを該シャーシから容易に取り外せるように構成されているものである。
【００１１】
請求項４の発明は、請求項３に記載の情報再生装置のフロントパネルにおいて、前記指掛け部は、前記リブの幅と略等しい厚みを有するものである。
【考案の効果】
【００１２】
請求項１又は請求項４の考案によれば、フロントパネルのフック部にシャーシの横板の係合爪部が係合されている状態のとき、指先をフック部の両側の側方から指掛け部と横板との間に差し込み、その後、指掛け部を引き上げることにより、フロントパネルをシャーシから容易に取り外すことができる。また、指掛け部はリブの幅と略等しい厚みを有するので、フロントパネルの成形時に指掛け部又はリブにヒケが生じるのを防止できる。
【００１３】
請求項２又は請求項３の考案によれば、フロントパネルのフック部にシャーシの取付枠の係合爪部が係合されている状態のとき、指先をフック部の両側の側方から指掛け部と取付枠との間に差し込み、その後、指掛け部を引き上げることにより、フロントパネルをシャーシから容易に取り外すことができる。
【考案を実施するための最良の形態】
【００１４】
本考案の一実施形態に係る情報再生装置のフロントパネルについて図１乃至図９を参照して説明する。図１は、情報再生装置１の構成を示す。この情報再生装置１は、記録媒体に記録された音声や映像等の情報を再生可能な再生機能と、さらに、該記録媒体に該情報を記録可能な記録機能を有する。記録媒体には、ビデオ、ＣＤ、ＤＶＤ又はＨＤＤ等が含まれ、上記の機能を有する情報再生装置１は、シャーシ２と、このシャーシ２の前面に取り付けられるフロントパネル３と、シャーシ２内に納装されるビデオドライブ、ＣＤドライブ、ＤＶＤドライブ又はＨＤＤドライブ等のドライブ（不図示）と、シャーシ２及び該ドライブを覆うトップカバー（不図示）とを備える。
【００１５】
次に、情報再生装置１の構成部品について詳細に説明する。シャーシ２は、底板２１と、この底板２１の前端部２１ａの両側端２１ａａ、２１ａｂに垂設された支持部材２２、２３と、支持部材２２、２３間に架設されて該支持部材２２、２３により支持される横板２４とを有する。支持部材２２は、シャーシ２からフロントパネル３に向かって右側の側端２１ａａに垂設され、支持部材２３は、左側の側端２１ａｂに垂設されている。横板２４は、支持部材２２、２３に加え、これらの間の略中央に設けられた支持部材２５により支持されている。
【００１６】
底板２１は板金部材で構成される。底板２１を構成する板金部材は、底板２１の前端部２１ａにおいて段状に折曲している。この前端部２１ａには、下方に突出する係合爪部２６が設けられている。係合爪部２６は、フロントパネル３と係合するため、底板２１の一部が板金加工により塑性変形して形成されたものである。その横断面形状は例えば三角形であり、該三角形の頂点の高さは本装置１の内方へ向かって高くなるように成形されている。このような係合爪部２６は、例えば、支持部材２２と支持部材２５との間に１個、また支持部材２５と支持部材２３との間に１個、設けられている。
【００１７】
また、底板２１を構成する板金部材は、底板２１の両側端において略Ｌ字状に折曲し、側壁２１１、２１２を形成している。側壁２１１は、シャーシ２からフロントパネル３に向かって右側の側端に形成され、側壁２１２は、左側の側端に形成されている。側壁２１１には、シャーシ２の側方に突出した係合爪部２７が設けられている。この係合爪部２７は、側壁２１１の一部が板金加工により塑性変形して形成されたものであり、その形状は、前端部２１ａに形成された係合爪部２６と略同じである。さらに、該板金部材は、底板２１の後端において略Ｌ字状に折曲し、後部壁２１３を形成している。
【００１８】
支持部材２２、２５は、射出成形された樹脂製の柱状部材で構成され、上面に、横板２４の位置を決めるための突起を有する。他方、支持部材２３は、板金部材で構成される。この支持部材２３は、上部が本装置１の内方へ折曲しており、下部が底板２１の側壁２１２の内側にねじ止めされて固定されている。支持部材２３の側壁２１２との固定部位より上方には、シャーシ２の側方に突出した係合爪部２８が設けられている。この係合爪部２８は、支持部材２３の一部が板金加工により塑性変形して形成されたものであり、その形状は、側壁２１１に形成された係合爪部２７と略同じである。
【００１９】
横板２４は、板金部材で構成され、位置決め用の孔を有しており、この孔に支持部材２２、２５の突起が挿し込まれるように配置される。この配置に応じて、横板２４は位置決めされる。また、横板２４は、支持部材２３上部の内方へ折曲している部分と、支持部材２２、２５のそれぞれの上面とにねじ止めされて固定される。さらに、横板２４は、上方に突出した係合爪部２９ａ、２９ｂ、２９ｃを有する。これらの係合爪部２９ａ、２９ｂ、２９ｃは、横板２４の一部が板金加工により塑性変形して形成されたものであり、その形状は、支持部材２３に形成された係合爪部２８と略同じである。係合爪部２９ａ、２９ｂ、２９ｃはそれぞれ、横板２４において支持部材２２、２３、２５が固定される部位の近傍に設けられている。
【００２０】
上記の底板２１の前端部２１ａ、支持部材２２、２３及び横板２４により、シャーシ２におけるフロントパネル３の取付枠２ａが構成される。上述の通り、底板２１の前端部２１ａ及び側壁２１１と、支持部材２３とのそれぞれには、係合爪部２６、２７、２８が設けられており、横板２４には、係合爪部２９ａ、２９ｂ、２９ｃが設けられている。フロントパネル３は、これらの係合爪部２６、２７、２８、２９ａ、２９ｂ、２９ｃ（以下、係合爪部２６等という）の個数及びそれぞれの位置に対応したフック部３１、３２、３３、３４ａ、３４ｂ、３４ｃ（以下、フック部３１等という）を有する。これらのフック部３１等が、シャーシ２の係合爪部２６等に係合されることにより、フロントパネル３はシャーシ２の取付枠２ａに取り付けられる。取付枠２ａの構成部品は上記に限定されない。
【００２１】
図２乃至図４は、フロントパネル３の構成を示す。フロントパネル３は、金型により射出成形された樹脂性部材であり、パネル本体３５と、該パネル本体３５の背面から本装置１の内方に延びたフック部３１等とを有する。パネル本体３５の上部及び下部は、本装置１の内方に湾曲しており、該パネル本体３５には、両側端の開口を塞ぐように側壁部３５ａ、３５ｂが設けられている。側壁部３５ａは、背面視でパネル本体３５の右側に位置し、側壁部３５ｂは、背面視でパネル本体３５の左側に位置する。パネル本体３５には、ビデオ、ＣＤ又はＤＶＤを情報再生装置１に挿入／取り出しするための開口、操作ボタンや操作パネルに対応した孔や開口、入出力端子を情報再生装置１に接続するための孔等の各種の開口又は孔が設けられている。
【００２２】
ここで、フロントパネル３におけるフック部３１等の位置を具体的に説明する。フック部３４ａ、３４ｂ、３４ｃは、パネル本体３５上部で、且つ、湾曲している部位に設けられている。また、フック部３１は、パネル本体３５下部で、且つ、湾曲している部位の下面に設けられている。また、フック部３２は、パネル本体３５の背面視で右側端に設けられ、フック部３３は、パネル本体３５の背面視で左側端に設けられている。フック部３１等のそれぞれは、シャーシ２の係合爪部２６等（図２乃至図４においては不図示）の個数及び位置に対応して設けられている。フック部３１等の位置は上記に限定されない。
【００２３】
次に、フック部３１等の形状を説明する。フック部３１等のそれぞれは、シャーシ２との係合時に、該シャーシ２の係合爪部２６等が挿入される係合孔を備える板状の突出片で構成される。この板状の突出片は、フック部３１、３４ａ、３４ｂ、３４ｃにおいて水平方向に沿って設けられ、他方、フック部３２、３３において垂直方向に沿って設けられている。また、それぞれの突出片の表面には、補強用のリブが形成されている。以下、フック部３１等のうち、フック部３４ｃの形状を詳細に説明する。
【００２４】
フック部３４ｃは、水平方向で且つ本装置１の内方に延び、且つ、係合孔３４ｃａを有する突出片３４ｃｂと、突出片３４ｃｂの両側端及び幅方向中央の上面側に形成されたリブ３４ｃｃと、リブ３４ｃｃのそれぞれの上端に設けられ水平方向で且つ突出片３４ｃｂの側方に延びた、指先を引掛けるための指掛け部３４ｃｄとを備える。突出片３４ｃｂ、リブ３４ｃｃ及び指掛け部３４ｃｄは一体に形成されている。突出片３４ｃｂ底面の先端は、テーパ状に形成されている。係合孔３４ｃａは、突出片３４ｃｂと、該突出片３４ｃｂの幅方向中央に設けられたリブ３４ｃｃとを貫通して形成されている。また、リブ３４ｃｃは突出片３４ｃｂを補強するためのものである。
【００２５】
指掛け部３４ｃｄは、リブ３４ｃｃの上端全体に連なって形成されている。また、指掛け部３４ｃｄの幅は略一定であり、その厚みは、該リブ３４ｃｃの幅と略等しい。指掛け部３４ｃｄの高さは、パネル本体３５上部の湾曲した部分の上端の高さより低い。
【００２６】
また、指掛け部３４ｃｄは、リブ３４ｃｃと共にパネル本体３５背面から延びるように形成されていてもよい。このように指掛け部３４ｃｄが形成されている場合において、リブ３４ｃｃの幅はパネル本体３５の厚みより薄く、指掛け部３４ｃｄの厚みはそのリブ３４ｃｃの幅と略等しいので、指掛け部３４ｃｄ形成に伴うヒケがパネル本体３５表面に生じることを防止できる。
【００２７】
上記構成において、指掛け部３４ｃｄは水平方向に延びて形成されているので、指先を引掛け易い。また、指掛け部３４ｃｄは、リブ３４ｃｃに沿って一体に形成されているので、フロントパネル３製造時において金型を外す際に強い力は必要ない。このため、指掛け部３４ｃｄの形成に伴ってフロントパネル３に白化が引き起こされることはない。また、指掛け部３４ｃｄは、リブ３４ｃｃの上端に、該リブ３４ｃｃと一体に形成されているので、該指掛け部３４ｃｄを有するフロントパネル３の金型作製も容易である。また、指掛け部３４ｃｄの厚み及びリブ３４ｃｃの幅は略等しいので、フロントパネル３製造時において、指掛け部３４ｃｄ形成に伴うヒケが、リブ３４ｃｃと指掛け部３４ｃｄ自身とに生じ難い。さらに、指掛け部３４ｃｄの形成に際して開口や孔等は必要ないので、指掛け部３４ｃｄの形成に伴ってフロントパネル３にウェルドが生じることはない。なお、指掛け部３４ｃｄの形状は、上記に限定されず、指先を引掛けられる形状や大きさを有してればよい。指掛け部３４ｃｄは、リブ３４ｃｃの上端全体に連なって形成されるのではなく、リブ３４ｃｃ上端の一部分に形成されていても構わない。
【００２８】
図５乃至図８（ａ）、（ｂ）、（ｃ）は、フロントパネル３のフック部３４ａ、３４ｂ、３４ｃ（以下、フック部３４ａ等という）と、シャーシ２の横板２４に設けられた係合爪部２９ａ、２９ｂ、２９ｃ（以下、係合爪部２９ａ等という）とが係合される前と後との様子を示す。同図において、シャーシ２の底板２１及び支持部材２２、２３、２５の図示は省略されている。横板２４は、本装置１内側の端部が垂直に折曲され、さらにその上端が内方で且つ水平に折曲して成るトップカバー支持部２４ａを有する。
【００２９】
フック部３４ａ等のそれぞれは、横板２４の係合爪部２９ａ等と対応する位置に設けられている。フロントパネル３とシャーシ２との係合時には、フック部３４ａ等が係合爪部２９ａ等の上側に配置される。以下、フック部３４ａ等のうちフック部３４ｃと、係合爪部２９ａ等のうち係合爪部２９ｃとの係合について詳細に説明する。
【００３０】
フック部３４ｃに係合される係合爪部２９ｃは、横断面形状が例えば三角形であり、該三角形の頂点の高さがフロントパネル３取付側から本装置１の内方へ向かって高くなるように成形されている。係合時において、突出片３４ｃｂの底面は、先端から係合爪部２９ａのフロントパネル３取付側に当接して摺動する。突出片３４ｃｂ底面の先端は、テーパ状に形成されており、係合爪部２９ｃの高さは、フロントパネル３取付側で一番低く、本装置１の内方へ向けて漸次高くなるため、フック部３４ｃを係合爪部２９ｃに当接させながら容易に取り付けることができる。突出片３４ｃｂにおける係合爪部２９ｃとの当接箇所がパネル本体３５側へ移動するに連れて、突出片３４ｃｂは上方へ撓む。そして、係合爪部２９ｃが、突出片３４ｃｂの係合孔３４ｃａに下方から挿入される。このようにして、突出片３４ｃｂと係合爪部２９ｃとが係合される。
【００３１】
突出片３４ｃｂと係合爪部２９ｃとが係合された状態においては、突出片３４ｃｂの先端の一部とトップカバー支持部２４ａとが近接して配置されており、且つ、これらの間に指を差し込む程の隙間がない。また、突出片３４ｃｂと横板２４とは近接しているので、突出片３４ｃｂの先端においてトップカバー支持部２４ａに近接していない部分と横板２４との間に指先を差し込むことは難しい。
【００３２】
図９は、フロントパネル３とシャーシ２の横板２４との係合がユーザにより解除されるときの様子、特にフロントパネル３のフック部３４ｃと横板２４の係合爪部２９ｃとの係合が解除される様子を示す。
【００３３】
本実施形態においては、リブ３４ｃｃ上端に指掛け部３４ｃｄが設けられているので、ユーザの指先Ｆをフック部３４ｃの両側から該指掛け部３４ｃｄと横板２４との間に差し込み、その後、該指掛け部３４ｃｄを引き上げることにより、フック部３４ｃと係合爪部２９ｃとの係合を容易に解除できる。このため、フロントパネル３をシャーシ２から容易に取り外すことができる。また、指掛け部３４ｃｄは、突出片３４ｃｂの両側端に設けられているので、突出片３４ｃｂの幅が比較的広い場合においても、突出片３４ｃｂ全体を持ち上げ易い。このため、フック部３４ｃと係合爪部２９ｃとの係合を容易に解除でき、フロントパネル３をシャーシ２から容易に取り外すことができる。
【００３４】
本考案は、上記の実施形態の構成に限定されず、使用目的に応じ、様々な変形が可能である。例えば、フロントパネル３は、情報再生装置１に限定されず、パーソナルコンピュータ等の他種の電子機器に取り付けられるものであってもよい。また、係合爪部２６、２７、２８及び横板２４に形成された係合爪部の個数は、図面において図示されている個数に限定されず、何個であっても構わない。また、フロントパネル３の構成を有するパネルは、情報再生装置１の前面に限定されず、側面又は背面に取り付けられるものであってもよい。また、フック部３４ａ等は、パネル本体３５の上部に限定されず、側壁部３５ａ、３５ｂ又はパネル本体３５の下部若しくはその近傍に設けられていても構わない。
【図面の簡単な説明】
【００３５】
【図１】本考案の一実施形態に係る情報再生装置の構成図。
【図２】上記情報再生装置のフロントパネルの前面を示す斜視図。
【図３】上記フロントパネルの背面を示す斜視図。
【図４】図３の破線枠Ａ部分の拡大斜視図。
【図５】上記フロントパネルのフック部と上記情報再生装置のシャーシの横板とが係合される前の様子を示す斜視図。
【図６】上記フロントパネルのフック部と上記シャーシの横板とが係合された後の様子を示す斜視図。
【図７】図６の破線枠Ｂ部分の拡大斜視図。
【図８】（ａ）は図７の平面図、（ｂ）は同図の正面図、（ｃ）は（ａ）のＣ−Ｃ’線断面図。
【図９】上記フロントパネルと上記横板との係合がユーザにより解除されるときの様子を示す正面図。
【図１０】（ａ）は従来の情報再生装置のフロントパネルのフック部とシャーシとが係合された後の様子を示す斜視図、（ｂ）は（ａ）の平面図。
【符号の説明】
【００３６】
１  情報再生装置
２  シャーシ
２１  底板
２２、２３、２５  支持部材
２４  横板
２６、２７、２８、２９ａ、２９ｂ、２９ｃ  係合爪部
３  フロントパネル
３１、３２、３３、３４ａ、３４ｂ、３４ｃ  フック部
３４ｃａ  係合孔
３４ｃｂ  底板
３４ｃｃ  リブ
３４ｃｄ  指掛け部
３５  パネル本体
【図１】
0003129253.tif 000003
【図２】
0003129253.tif 000004
【図３】
0003129253.tif 000005
【図４】
0003129253.tif 000006
【図５】
0003129253.tif 000007
【図６】
0003129253.tif 000008
【図７】
0003129253.tif 000009
【図８】
0003129253.tif 000010
【図９】
0003129253.tif 000011
【図１０】
0003129253.tif 000012